(57)【要約】【課題】安価かつ簡易な構成でセキュリティの向上を図ることできるセキュリティシステムを提供する。【解決手段】ビル１００の最初の入口に配置された無線タグスキャナＥＮＴのみでカードに埋設された無線タグから応答された有効期限データに基づいて有効期限の判断を行い、有効期限が経過している場合には、無線タグの応答Ｆを応答しない無応答コマンドを送信して無線タグ５を応答しない設定にする。【選択図】      図１
2005078511.tif 000002
【特許請求の範囲】
【請求項１】
無線による問合せコマンドに応答してメモリに記憶した情報を無線送信可能な無線タグと、建造物に入場する最初の入口及び前記建造物の部屋の入口等にそれぞれ配置された入場制限を行う入場制限手段を有する無線タグスキャナとから構成され、各無線タグスキャナは前記無線タグから読取った情報に基づいて入場制限を解除するセキュリティシステムにおいて、
前記無線タグは、前記無線タグスキャナの入場制限を解除する有効期限を示す有効期限情報とともに前記問合せコマンドに応答するか否かを決定する応答判定情報を前記メモリに記憶し、前記問合せコマンドを受信したときに前記メモリに記憶された前記応答判定情報が応答する設定となっている場合は前記有効期限情報を送信する送信手段と、前記応答判定情報を無応答に設定する無応答コマンドを受信したときに前記メモリに記憶された前記応答判定情報が応答する設定となっている場合は前記問合せコマンドによる問合せに応答しない設定に変更する設定変更手段とを具備し、
前記建造物に入場する最初の入口に配置された無線タグスキャナは、日付情報を生成する日付情報生成手段と、前記無線タグの問合せコマンドにより応答して送信された有効期限情報を取得する取得手段と、前記日付情報生成手段により生成された日付情報の日付が前記取得手段により取得した有効期限情報の有効期限を経過しているか否かを判断する判断手段と、前記判断手段で日付が有効期限を経過していないと判断した場合に、前記入場制限手段による入場制限を解除する入場制限解除手段と、前記判断手段で日付が有効期限を経過していると判断した場合に、前記無線タグの応答判定情報を無応答に設定する無応答コマンドを送信する無応答コマンド送信手段とを具備したことを特徴とするセキュリティシステム。
【発明の詳細な説明】
【技術分野】
【０００１】
本発明は、マンション、ビル等の建造物に入場する最初の入口、通路の入口、部屋の入口等にそれぞれ無線タグスキャナを設け、各無線タグスキャナにおいて無線タグと無線通信を行ってゲートの開閉を行うセキュリティシステムに関する。
【背景技術】
【０００２】
無線タグ、例えばＲＦＩＤ（ラジオ・フリークエンシー・アイデンティフィケーション）タグを利用して侵入者を検知するセキュリティシステムは次のようなものが知られている。マンション等の施設の入口以外に、施設内の廊下や階段などにも人の認識装置とＲＦＩＤタグリーダを設置する。そして、人を認識したときにのみその人のＲＦＩＤタグのＩＤを読取ることにより、ＲＦＩＤタグを携帯していない人も認識することができ、リアルタイムで侵入者の人数と位置を住人や警備員に知らせることができるものである。このように構成することにより、マンション等の住人の安全性の向上を図っている（例えば、特許文献１参照）。
【０００３】
また、入場を制限するゲートの開閉を制御すると共に無線タグから情報を読取ることができる無線タグスキャナをマンション等の入口などの各場所に設置し、無線タグスキャナは無線タグから有効期限等の情報を読取り、その情報をチェックした後、ゲートを開くセキュリティシステムも知られている。このセキュリティシステムだと、無線タグスキャナがチェックする情報のうち、例えば無線タグの無線ＩＤのように有効期限以外の情報は登録されている情報と参照することができるが、有効期限は、何等かの方法で時間情報を取得し、その取得した情報に基づく日付と有効期限とを比較する必要がある。
【特許文献１】特開平９−２７００１１号公報
【発明の開示】
【発明が解決しようとする課題】
【０００４】
前述したセキュリティシステムは、リアルタイムで侵入者の人数と位置を住人や警備員に知らせるために全ての認識装置をネットワークに接続する必要があり、また、ネットワークを構築するとともに維持するための費用も生じる。
【０００５】
後述したセキュリティシステムは、無線タグの所持者はマンション等の目的の部屋に到達するまでに複数の無線タグスキャナを通過するが、その全ての無線タグスキャナで有効期限の判断を行うため、全ての無線タグスキャナに時計機能が必須なものとなる。したがって、全ての無線タグスキャナに時計機能を設けることが考えられるが、各無線タグスキャナの時計機能にズレが生じる場合あり、その時計機能のズレを適宜修正することは大変煩雑な作業である。また、全ての無線タグスキャナをネットワークを介して管理機能を有する管理サーバに接続することも考えられるが、前述したセキュリティシステムと同様にネットワークを構築するとともに維持するための費用も生じてしまう。
【０００６】
本発明は上記事情に鑑みてなされたものであって、その目的は、無線タグから読取った情報に基づいて入場制限を解除する複数の無線タグスキャナをネットワークで接続する必要がなく、安価かつ簡易な構成でセキュリティの向上を図ることできるセキュリティシステムを提供することにある。
【課題を解決するための手段】
【０００７】
本発明は、無線による問合せコマンドに応答してメモリに記憶した情報を無線送信可能な無線タグと、建造物に入場する最初の入口及び建造物の部屋の入口等にそれぞれ配置された入場制限を行う例えば電子ロックである入場制限手段を有する無線タグスキャナとから構成され、各無線タグスキャナは無線タグから読取った情報に基づいて入場制限を解除するセキュリティシステムにおいて、無線タグは、無線タグスキャナの入場制限手段の入場制限を解除する有効期限を示す有効期限情報とともに問合せコマンドに応答するか否かを決定する応答判定情報をメモリに記憶し、問合せコマンドを受信したときにメモリに記憶された前記応答判定情報が応答する設定となっている場合は有効期限情報を送信し、応答判定情報を無応答に設定する無応答コマンドを受信したときにメモリに記憶された応答判定情報が応答する設定となっている場合は問合せコマンドによる問合せに応答しない設定に変更するものであり、建造物に入場する最初の入口に配置された無線タグスキャナは、無線タグの問合せコマンドにより応答して送信された有効期限情報を取得すると、日付情報の日付が取得した有効期限情報の有効期限を経過しているか否かを判断し、日付が有効期限を経過していないと判断した場合に入場制限手段による入場制限を解除し、日付が有効期限を経過していると判断した場合に無線タグの応答判定情報を無応答に設定する無応答コマンドを送信するものである。
【発明の効果】
【０００８】
本発明によると、無線タグから読取った情報に基づいて入場制限を解除する複数の無線タグスキャナをネットワークで接続する必要がなく、安価かつ簡易な構成でセキュリティの向上を図ることできるセキュリティシステムを提供できる。
【発明を実施するための最良の形態】
【０００９】
以下、本発明を実施の形態について図面を参照して説明する。  
図１は本発明を適用したビル１００の断面を概略的に示す図である。図１に示すように、ビル１００には、入場するための最初のゲートが１箇所設けられている。このゲートを通過するとエレベータルームとなり、このエレベータルームのエレベータＥＶにより１階から４階まで移動できるようになっている。また、各階のエレベータルームには、各階の開発室１Ａ〜１Ｃ，２Ａ〜２Ｃ，３Ａ〜３Ｃ，４Ａ〜４Ｃ入場するためのゲートを有した通路へ入場するためのゲートが設けられている。これらのゲートにはそれぞれ無線タグスキャナが配置されている。最初の入口のゲートには無線タグスキャナＥＮＴ、通路へ入場するための各階のゲートには無線タグスキャナ１ｆ〜４ｆ、そして、各開発室のゲートには無線タグスキャナ１ａ〜１ｃ，２ａ〜２ｃ，３ａ〜３ｃ，４ａ〜４ｃが設けられている。各無線タグスキャナＥＮＴ，１ｆ〜４ｆ，１ａ〜４ｃは、電子ロックによりゲートにロックをかけることができるようになっており、通常は、ロックされてゲートを開けることができないようになっており各ゲートからの入場を制限している。また、最初の入口のドアのビル１００内には、人がゲートを通過したことを検出するためのセンサ１が配置されている。なお、図１において図示しないが、上述した他のゲートにも、人がゲートを通過したことを検出するためのセンサ１´がそれぞれ所定位置に配置されている。
【００１０】
続いて、ビル１００に配置された無線タグスキャナＥＮＴ，１ｆ〜４ｆ，１ａ〜４ｃについて説明する。なお、最初の入口のゲートに配置された無線タグスキャナＥＮＴと、その他のゲートに配置された無線タグスキャナ１ｆ〜４ｆ，１ａ〜４ｃとは外観は共通であるが構成が一部異なるものとなっている。
【００１１】
図２は無線タグスキャナＥＮＴの外観を示す図であり、図３は無線タグスキャナＥＮＴの要部構成を示すブロック図であり、図４は、無線タグスキャナ１ｆ〜４ｆ，１ａ〜４ｃに共通する要部構成を示すブロック図である。図２に示すように、無線タグスキャナＥＮＴには、表示部２、スキャナ部３、音声出力口４が設けられている。表示部２はユーザに対して必要な情報を表示する。スキャナ部３は、後述する無線タグ５をスキャンするために無線タグ５をかざす位置を示している。音声出力口４は、無線タグスキャナＥＮＴ内で生成した音声を外部に出力するために設けられている。なお、他の無線タグスキャナ１ｆ〜４ｆ，１ａ〜４ｃも同様な外観をしている。
【００１２】
無線タグスキャナＥＮＴは、ＣＰＵ１１，ＲＯＭ１２，ＲＡＭ１３，表示制御部１４，表示部２，音声制御部１５，音声出力部１６，変調部１７，送信アンプ１８，アンテナ１９，復調部２０，受信アンプ２１，時計部２２，インタフェース２３，電子ロック部２４，Ｉ／Ｏポート２５、センサ１などで構成されている。ＣＰＵ１１とＲＯＭ１２，ＲＡＭ１３，表示制御部１４，音声制御部１５，変調部１７，復調部２０，時計部２２，インタフェース２３，Ｉ／Ｏポート２５とはバスライン２６を介して接続されている。
【００１３】
ＣＰＵ１１はＲＯＭ１２に記憶されたプログラムを実行することにより総括的に無線タグスキャナＥＮＴを制御する。ＲＯＭ１２にはＣＰＵ１１が実行する無線タグスキャナＥＮＴの各種機能を実現するための制御プログラム等が記憶される。ＲＡＭ１３はＣＰＵ１１が実行するときに必要なワークエリアなどが形成されている。また、ＲＡＭ１３にはビル１００の開発室１Ａ〜４Ｃを示す入場許可データ及びビル１００へ入場することが許可された無線タグの無線ＩＤが記憶されている。
【００１４】
表示制御部１４はＣＰＵ１１の制御の下、表示部２の表示を制御する。表示制御部１４は、例えば待機状態では、図２で示すように、表示部２に“下の枠内にカードをかざしてください。”というメッセージを表示する制御を行う。
【００１５】
音声制御部１５はＣＰＵ１１の制御の下、音声出力部１６の音声出力を制御する。例えば音声制御部１５は、データの読取りが行われたときにはＯＫ音として小さい音でブザー音を１回出力させ、データの読取りが行われなかったときにはエラー音として大きい音で連続的にブザー音を出力させるように音声出力部１６を制御する。
【００１６】
変調部１７は、送信する送信データを変調し、送信アンプ１８はその変調電波を増幅してアンテナ１９から放射させる。送信データは例えば、後述する無線タグに問合せを行う問合せコマンドや無線タグを無応答に設定するためのコマンドである無応答コマンドである。また、受信アンプ２１は、アンテナで１９受信した電波を増幅し、復調部２０は、その増幅された受信電波を復調する。  
時計部２２は、計時動作を常時行い、日付情報である日付を含む現在時刻を示す時刻データを生成する（日付情報生成手段）。
【００１７】
インタフェース２３は電子ロック部２４との接続に使用される。電子ロック部２４は、ビル１００への最初の入口のゲート、各階の通路への入口のゲート、各開発室への入口のゲートをロックする。上述したがこれらの各ゲートは、通常、ロックされて各ゲートでの入場を制限するようになっている（入場制限手段）。また、各ゲートはＣＰＵ１１の制御に基づいて、ゲートのロックを解除するようになっている。
【００１８】
Ｉ／Ｏポート２５はセンサ１との接続に使用される。センサ１は、人がゲート通過したか否かを検出するために使用される。したがって、センサの配置される位置は、各入口のゲートの入場側と反対側に人の通過を検出できるように所定位置に配置される。なお、このように配置されるセンサに換えて、ゲートが閉じたことを検出するセンサを用いる構成でも良い。
【００１９】
続いて、無線タグスキャナ１ｆ〜４ｆ，１ａ〜４ｃに共通する要部構成を図４を参照しながら説明する。なお、上述した無線タグスキャナＥＮＴと共通する部分はここでは説明を省略し、異なる部分を説明する。
【００２０】
無線タグスキャナ１ｆ〜４ｆ，１ａ〜４ｃには、時刻データを生成する時計部２２が設けられていない。また、人の通過を検出するためのセンサ１´が設けられている。このセンサ１´は無線タグスキャナが配置されたゲートに応じて人の通過を検出するように所定位置に設けられている。また、アンテナ１９を介して送信する送信データは、問合せコマンドのみであり、無応答コマンドは送信しない構成となっている。
【００２１】
さらに、ＲＡＭ１３に記憶される入場許可データ及び無線タグの無線ＩＤが各無線タグスキャナ１ｆ〜４ｆ，１ａ〜４ｃで異なっている。無線タグスキャナ１ｆ〜４ｆであれば、それぞれその階に対応する開発室１Ａ〜１Ｃ，２Ａ〜２Ｃ，３Ａ〜３Ｃ，４Ａ〜４Ｃを示すデータを入場許可データとして記憶するとともに、それぞれ開発室１Ａ〜１Ｃ，２Ａ〜２Ｃ，３Ａ〜３Ｃ，４Ａ〜４Ｃへの入場が許可された無線タグの無線ＩＤを記憶している。また、各開発室の入口に対応して設けられた無線タグスキャナ１ａ〜４ｃであれば各開発室を示すデータを記憶するとともに、各開発室への入場が許可された無線タグの無線ＩＤを記憶している。
【００２２】
次に、このように構成された無線タグスキャナＥＮＴ，１ｆ〜４ｆ，１ａ〜４ｃのゲートロックを解除するために用いられる無線タグ５について説明する。  
図５は、無線タグ５が埋設されたカード５ａの外観を示す図である。このカード５ａの表面には、図示のように、会社名，氏名，所属，開発室名，有効期限などが印刷される。
【００２３】
図６は、カード５ａに埋設された無線タグ５の要部構成を示すブロック図である。図で示すように、無線タグ５は、送受信可能なタグアンテナ５１とＬＳＩチップ５２とを基板に一体成形した部品である。タグアンテナ５１は、矩形状に成形されたループコイル等からなる。ＬＳＩチップ５２は、電源生成部５３、変調部５４、復調部５５、制御部５６、メモリ５７などで構成される。電源生成部５３はタグアンテナ５１で受信した変調電波の整流と安定化を行うことによりＬＳＩチップ５２の各部に電源を供給する。復調部５５は、上記変調電波を復調して制御部５６へ送出する。変調部５４は、制御部５６から送出されたデータを変調してタグアンテナ５１に送出する。制御部５６は復調部５５で復調されたデータが問合せコマンドであるとき、メモリ５７に記憶したデータを読み出し応答データとして変調部５４へ送出する。メモリ５７は、無線タグ５の製造段階で製造業者により設定された固有の無線ＩＤ（ＲＦＩＤ：ラジオ・フリークエンシー・アイデンティフィケーション）を記憶する無線ＩＤエリア５７ａと、ユーザが任意のデータを書込むことができるユーザエリア５７ｂとからなる。無線タグ５のユーザエリア５７ｂには、上述した入場許可データ及び入場できる有効期限を示す有効期限データなどとともに、問合せコマンドに応答するか否かを決定する応答判定情報としての応答フラグ（以下、応答Ｆと称する。を記憶している。なお、本実施の形態では“０”のとき「応答する」、“１”のとき「応答しない」とする。
【００２４】
かかる構成により、無線タグスキャナＥＮＴ，１ｆ〜４ｆ，１ａ〜４ｃは、問合せコマンドを電波に変調してアンテナ１９から発信する。一方、無線タグ５は、ユーザにより無線タグスキャナのスキャナ部３にかざされると、タグアンテナ５１で問合せコマンドの電波を受信することにより、電源生成部５３から各部に電源が供給されて制御部５６が作用し、メモリ５７のデータが読取られる。そして、無線ＩＤ、入場許可データ及び有効期限データとからなる応答データが変調部５４で無線送信に適した形態に変調された後、タグアンテナ５１から電波として発信される。
【００２５】
次に、無線タグスキャナＥＮＴのスキャナ部３に無線タグ５が埋設されたカード５ａがかざされたときに、無線タグスキャナＥＮＴのＣＰＵ１１が実行する処理について図７を参照して説明する。
【００２６】
待機状態において、ＣＰＵ１１は表示制御部１４を制御し、表示部２に待受メッセージを表示させるとともに問合せコマンドを送信している（ＳＴ１）。この待機状態においてＣＰＵ１１は、問合せコマンドに対する無線ＩＤ、入場許可データ及び有効期限データとからなる応答データを受信したか否かを判断する（ＳＴ２）。
【００２７】
ＣＰＵ１１は応答データを受信したと判断しない場合は待機状態をそのまま継続し、応答データを受信したと判断した場合（取得手段）は、有効期限以外のデータはＯＫか否かを判断する（ＳＴ３）。すなわち、応答データに含まれる入場許可データ及び無線ＩＤがＲＡＭ１３に記憶された入場許可データ（開発室１Ａ〜４Ｃ）及び無線ＩＤ（ビル１００への入場が許可された無線タグの無線ＩＤ）と同じデータがあるか否かを判断する。
【００２８】
ＣＰＵ１１は、ステップＳＴ３においてＲＡＭ１３に応答データに含まれた入場許可データ及び無線ＩＤと同じデータがないと判断すると、表示制御部１４を制御し、表示部２にエラーメッセージを表示する（ＳＴ４）。そして、ＣＰＵ１１は音声制御部１５を制御し、音声出力部１６から大きい音で所定時間連続的にブザー音を出力する。そして、処理は、ステップＳＴ１の待機状態へ戻る。
【００２９】
一方、ＣＰＵ１１は、ステップＳＴ３においてＲＡＭ１３に応答データに含まれた入場許可データ及び無線ＩＤ同じデータがあると判断すると、続いて、有効期限はＯＫか否かを判断する（ＳＴ６，判断手段）。すなわち、応答データに含まれる有効期限データと時計部２２で生成する日付を含む現在時刻データとに基づいて、現在時刻データの日付が有効期限データの有効期限を経過しているか否かを判断する。
【００３０】
ＣＰＵ１１は、ステップＳＴ６において有効期限を経過していると判断すると、表示制御部１４を制御し、表示部２に期限切れメッセージを表示する（ＳＴ７）。これと略同時に、ＣＰＵ１１は音声制御部１５を制御し、音声出力部１６から大きい音で所定時間連続的にブザー音を出力する（ＳＴ８）。そして、ＣＰＵ１１は、無応答コマンドを変調部１７で変調し、送信アンプ１８によりその変調電波を増幅してアンテナ１９から無線タグ５に放射する（ＳＴ９，無応答コマンド送信手段）。そして、ステップＳＴ１の待機状態に戻る。
【００３１】
ＣＰＵ１１は、ステップＳＴ６において有効期限を経過していないと判断すると、表示制御部１４を制御し、表示部２に入場許可メッセージを表示する（ＳＴ１０）。これと略同時に、ＣＰＵ１１は音声制御部１５を制御し、音声出力部１６から小さい音でブザー音を１回出力する（ＳＴ１１）。続いて、ＣＰＵ１１は電子ロック部２４を制御して、ゲートロックを解除する（ＳＴ１２，入場制限解除手段）。そして、ＣＰＵ１１は、センサ１からの出力を監視し、人が通過したか否かを判断する（ＳＴ１３）。ＣＰＵ１１は人の通過を検出するまでこの状態を続け、人の通過を検出すると電子ロック部２４を制御してゲートロックする（ＳＴ１４）。そして、処理はステップＳＴ１の待機状態に戻る。
【００３２】
次に、無線タグスキャナ１ｆ〜４ｆ，１ａ〜４ｃのスキャナ部３に無線タグ５が埋設されたカード５ａがかざされたときに、無線タグスキャナ１ｆ〜４ｆ，１ａ〜４ｃの各ＣＰＵ１１が実行する処理について図８を参照して説明する。この処理において無線タグスキャナＥＮＴのＣＰＵ１１が実行する処理と異なるのは、ステップＳＴ６の有効期限の判断を行う処理を行っていないことである。したがって、ステップＳＴ６で有効期限が経過していると判断した場合に行われる、ステップＳＴ７〜ＳＴ９の処理が行われない。その他の処理については、上述した処理と同様なため詳細な説明は省略する。
【００３３】
次に、無線タグ５が無線タグスキャナＥＮＴ，ｆ〜４ｆ，１ａ〜４ｃのいずれかからコマンドを受信したときの処理について図９を参照して説明する。
【００３４】
先ず、無線タグ５はタグアンテナ５１を介してコマンドを受信する（ＳＴ２１）。コマンドを受信すると、電源生成部５３により電源が生成される（ＳＴ２２）。これにより各部に電源が供給される。
【００３５】
制御部５６は、この電源の供給を受けると、受信したコマンドが問合せコマンドか否かを判断する（ＳＴ２３）。制御部５６は受信したコマンドが問合せコマンドであると判断した場合は、続いてメモリ５７のユーザエリア５７ｂの応答Ｆが“０”に設定されているか“１”に設定されているかを判断する（ＳＴ２４）。制御部５６は応答Ｆが“０”に設定されていると判断した場合は、メモリ５７から無線ＩＤ、入場許可データ及び有効期限データとからなる応答データを読出す（ＳＴ２５）。そして、制御部５６は、読出した応答データを変調部５４により変調し、タグアンテナ５１から送信する（ＳＴ２６，送信手段）。一方、制御部５６は、応答Ｆが“１”に設定されていると判断した場合は、問合せコマンドを無視するため無応答状態となる（ＳＴ２７）。
【００３６】
また、制御部５６は、ステップＳＴ２３の判断で問合せコマンドでないと判断した場合は、続いて、受信したコマンドが無応答コマンドであるか応答コマンドであるかを判断する（ＳＴ２８）。制御部５６は受信したコマンドが無応答コマンドであると判断した場合は、メモリ５７のユーザエリア５７ｂに設けられた応答Ｆを“１”に設定して無応答状態にする（ＳＴ２９，設定変更手段）。また、制御部５６は受信したコマンドが応答コマンドであると判断した場合は、応答Ｆを“０”に設定する（ＳＴ３０）。なお、応答コマンドは、無応答状態となった無線タグを再度応答状態にするためのものである。
【００３７】
以下、このように構成されたビル１００内の開発室４Ｃに入場することが許可されている無線タグ５が埋設されたカード５ａを所持したユーザがビル１００外から開発室４Ｃまで行く場合について説明する。
【００３８】
ビル１００の入口のゲートは無線タグスキャナＥＮＴによりロックされている。このときに、無線タグスキャナＥＮＴの表示部２には、図２で示したように、“下の枠内にカードをかざして下さい。”と表示されている。
【００３９】
ユーザは、スキャナ部３にカード５ａをかざすと、無線タグスキャナＥＮＴは、カード５ａに埋設された無線タグ５から応答データを読取る。無線タグスキャナＥＮＴにより応答データに含まれる無線ＩＤ、入場許可データ（開発室４Ｃ）がＲＡＭ１３に記憶されているものであり、有効期限が切れていない場合には、図１０で示すように無線タグスキャナＥＮＴの表示部２に“お通り下さい。”と表示されるとともにＯＫ音が発生され入口のゲートのロックが解除される。そして、ユーザがゲートを通過すると、ゲートは再びロックされる。このときに、無線タグ５が既に無応答に設定されていものであれば、無線タグスキャナＥＮＴのスキャナ部３にカード５ａをかざしても何の作用も生じない。また、有効期限切れの無線タグ５である場合には、図１１で示すように無線タグスキャナＥＮＴの表示部２に“有効期限が切れています。総務部に連絡して下さい。”と表示されるとともにエラー音が発生される。また、ゲートのロックも解除されず、それ以降スキャナ部３にカード５ａをかざしても何の作用も生じなくなる。
【００４０】
そして、ユーザは、入口のゲートを通過してエレベータルームに到達し、エレベータＥＶを操作して４階まで上がる。続いて、ユーザは無線タグスキャナ４ｆのスキャナ部３にカード５ａをかざす。すると、無線タグスキャナ４ｆは、カード５ａに埋設された無線タグ５から応答データを読取る。無線タグスキャナ４ｆは応答データに含まれる無線ＩＤ、入場許可データ（開発室４Ｃ）がＲＡＭ１３に記憶されているため、入口のゲートが開き、ユーザがゲートを通過すると、ゲートは再びロックされる。したがって、無線タグスキャナ４ｆにおいては、有効期限の判断を行わない。なお、ユーザが他の階の無線タグスキャナ１ｆ，２ｆ，３ｆにカード５ａをかざした場合は、無線タグ５のメモリ５７に記憶されている入場許可データ（開発室４Ｃ）及び無線ＩＤが無線タグスキャナ１ｆ，２ｆ，３ｆのＲＡＭ１３に記憶されていないため、表示部２にエラーが表示されるととともに、エラー音が発生される。
【００４１】
ユーザが無線タグスキャナ４ｆが設けられたゲートを通過すると、開発室４Ｃの入口まで進み、無線タグスキャナ４ｃのスキャナ部３にカード５ａをかざす。すると、無線タグスキャナ４ｃは、カード５ａに埋設された無線タグ５から応答データを読取る。無線タグスキャナ４ｆは応答データに含まれる無線ＩＤ、入場許可データ（開発室４Ｃ）がＲＡＭ１３に記憶されているため、入口のゲートが開き、ユーザがゲートを通過すると、ゲートは再びロックされる。なお、ユーザが他の開発室４Ａ，４Ｂの無線タグスキャナ４ａ，４ｃにカード５ａをかざした場合は、無線タグ５のメモリ５７に記憶されている入場許可データ（開発室４Ｃ）及び無線ＩＤが無線タグスキャナ４ａ，４ｂのＲＡＭ１３に記憶されていないため、表示部２にエラーが表示されるととともに、エラー音が発生される。
【００４２】
したがって、この実施の形態のセキュリティシステムによると、ビル１００の最初の入口に配置された無線タグスキャナＥＮＴのみでカード５ａに埋設された無線タグ５から応答された有効期限データに基づいて有効期限の判断を行い、有効期限が経過している場合には、無線タグ５の応答Ｆを応答しない無応答コマンドを送信して無線タグ５を応答しない設定にする構成により、無線タグスキャナＥＮＴのみに時計機能を持たせるため無線タグスキャナＥＮＴ，１ｆ〜４ｆ，１ａ〜４ａの時計機能を同期させる作業を行う必要がなく、また、無線タグスキャナＥＮＴ，１ｆ〜４ｆ，１ａ〜４ａをネットワークで管理サーバに接続する必要がないので、安価かつ簡易な構成とすることができる。
【００４３】
また、有効期限が切れてしまった無線タグ５を有するカード５ａを所持していても、そのカード５ａを無線タグスキャナ１ｆ〜４ｆ，１ａ〜４ａのスキャナ部３にかざしても何の作用も生じないので、仮に何らかの方法でビル１００の最初の入口から入場してしまったとしても、それ以降のゲートを通過することができないので、セキュリティの向上を図ることできる
また、無線タグ５のメモリ５７に記憶された有効期限が経過してしまい、応答Ｆが無応答に設定されてしまった場合にも、応答コマンドを受信することにより再度応答に設定を戻すことができる。したがって、有効期限の延長を行う場合には、その後、メモリ５７のユーザエリア５７ｂの有効期限データを書き換えれば良い。
【図面の簡単な説明】
【００４４】
【図１】本発明の実施の形態におけるビルの概略的な断面を示す図。
【図２】同実施の形態における無線タグスキャナの外観を示す図。
【図３】同実施の形態における最初の入口に配置される無線タグスキャナの要部構成を示すブロック図。
【図４】同実施の形態における他の入口に配置される無線タグスキャナの要部構成を示すブロック図。
【図５】同実施の形態における無線タグが埋設されたカードの表面を示す図。
【図６】同実施の形態における無線タグの要部構成を示すブロック図。
【図７】同実施の形態における最初の入口に配置される無線タグスキャナの実行する処理を示す流れ図。
【図８】同実施の形態における他の入口に配置される無線タグスキャナの実行する処理を示す流れ図。
【図９】同実施の形態における無線タグの実行する処理を示す流れ図。
【図１０】同実施の形態における通過許可の表示例を示す図。
【図１１】同実施の形態における有効期限切れの表示例を示す図。
【符号の説明】
【００４５】
ＥＮＴ，１ｆ〜４ｆ，１ａ〜４ａ…無線タグスキャナ、５…無線タグ、５ａ…カード、２２…時計部、１９…アンテナ、２４…電子ロック部、５１…タグアンテナ、５６…制御部、５７…メモリ、５７ａ…無線ＩＤ、５７ｂ…ユーザエリア、１００…ビル
【図１】
2005078511.tif 000003
【図２】
2005078511.tif 000004
【図３】
2005078511.tif 000005
【図４】
2005078511.tif 000006
【図５】
2005078511.tif 000007
【図６】
2005078511.tif 000008
【図７】
2005078511.tif 000009
【図８】
2005078511.tif 000010
【図９】
2005078511.tif 000011
【図１０】
2005078511.tif 000012
【図１１】
2005078511.tif 000013